(57)【要約】      （修正有）【課題】中身の回転押出機能を有する容器を提供する。【解決手段】キャビティ１は中空の長柱体の構成であり、内部が第１キャビティ１１と第２キャビティ１２に分かれ、第１キャビティ１１が第２キャビティ１２より大きく、両者の結合面１３には１つの空隙が連通し、頂部にはキャビティ蓋１５があり、第２キャビティ１２表面をカバーし、ベース２がキャビティ１底部に接続し、３６０度回転することができ、ベース２の表面には駆動歯車２１が設けられ、第２キャビティ１２の内部に回転可能なスクリュー３が接続し、スクリュー３の底部に連動歯車３１が設けられ、かつ駆動歯車２１と結合し、スクリュー３には荷重台３２があり、荷重台３２が第１キャビティ１１内に荷重部分３２１を有しており、第２キャビティ１２内に雌ねじ付きの小孔部材３２２を有しており、荷重台３２の中間部が空隙１３により位置を固定されており、キャビティ１の頂部には蓋４があることを特徴とする。【選択図】図１
0003200198.tif 000002
【実用新案登録請求の範囲】
【請求項１】
中身の回転押出機能を有する容器であって、キャビティは中空の長柱体の構成であり、内部が第１キャビティと第２キャビティに分かれており、第１キャビティが第２キャビティより大きく、両者の結合面には１つの空隙が連通し、頂部にはキャビティ蓋が設けられ、第２キャビティの表面をカバーし、ベースがキャビティ底部に接続し、かつ３６０度回転することができ、ベースの表面には駆動歯車が設けられ、第２キャビティの内部に回転可能なスクリューが設けられ、スクリュー底部には連動歯車が設けられ、かつ駆動歯車と結合し、スクリューには荷重台があり、荷重台が第１キャビティ内で内容物の荷重を支持する荷重部分を有し、第２キャビティ内に雌ねじ付きの小孔部材を有し、荷重台の中間部は空隙により位置を固定されており、キャビティの頂部に蓋があることを特徴とする中身の回転押出機能を有する容器。
【請求項２】
キャビティ外形は円柱体であり、両者の結合面には１つの空隙がスクリューが設けられている位置に対応するように存在することを特徴とする請求項１に記載の中身の回転押出機能を有する容器。
【請求項３】
ベースとキャビティとの直径が同じであり、キャビティの底面とベースの中心にある柱体とが接続することを特徴とする請求項１に記載の中身の回転押出機能を有する容器。
【請求項４】
駆動歯車はベースの表面の中心位置にある歯車であり、ベース面の外輪に位置する場合には、歯車歯が内へ向いたリング状の歯車であることを特徴とする請求項１に記載の中身の回転押出機能を有する容器。
【請求項５】
スクリューと第２キャビティの底面とは接続して回転可能であり、スクリューおよび荷重台が接続面の上方に位置し、連動歯車が接続面下方にあることを特徴とする請求項１に記載の中身の回転押出機能を有する容器。
【請求項６】
荷重台は一定の厚さを有し、連結部材は両端が太く、中間が細く、中間が細い部位が空隙位置に係合して両端の面が揺れないように安定させることに用いられることを特徴とする請求項１に記載の中身の回転押出機能を有する容器。
【請求項７】
キャビティ蓋は中実部分と中空部分に分かれ、中実部分が第２キャビティおよび結合面をカバーし、中空部分はリングを有し、第１キャビティをカバーし、蓋体全体の面を平坦にすることを保証することを特徴とする請求項１に記載の中身の回転押出機能を有する容器。
【請求項８】
キャビティの外形は直方体または多面体であり、キャビティ外部にはマーク、明細書などを貼り付けることを特徴とする請求項１に記載の中身の回転押出機能を有する容器。
【考案の詳細な説明】
【技術分野】
【０００１】
本案は中身の回転押出機能を有する容器に関する。
【背景技術】
【０００２】
従来、市場では、固体ゲルや口紅などに用いられる包装容器は、いずれもベースを回転させると、塗布体を上昇させて露出する効果を有し、使用時に便利である。しかし、このような容器を採用することにより、塗布体自体に１つの孔があるため、美観を損なうと同時に、そのほかの内容物の装入を制限してしまう。
【考案の概要】
【考案が解決しようとする課題】
【０００３】
本案の目的は中身の回転押出機能を有する容器を提供することにある。容器の内部に装入された内容物には孔がなく、かつそのほかの内容物も収容することができるため、この容器の使用範囲を広げることができる。
【課題を解決するための手段】
【０００４】
前記目的を実現するために、本案は以下の技術方案を提供する。中身の回転押出機能を有する容器において、キャビティは中空の長柱体であり、内部が第１キャビティと第２キャビティに分かれ、第１キャビティが第２キャビティより大きく、両者の結合面には１つの空隙が連通し、頂部にはキャビティの蓋があり、第２キャビティ表面をカバーし、ベースがキャビティ底部に接続し、かつ３６０度回転することができ、ベースの表面には駆動歯車が設けられ、第２キャビティ内部に回転可能なスクリューが接続しており、スクリュー底部に連動歯車が設けられ、かつ駆動歯車と結合し、スクリューには荷重台があり、この荷重台が第１キャビティ内で内容物の荷重を支持しており、第２キャビティ内には雌ねじ付きの小孔部材が設けられており、荷重台を中間にある空隙によって位置を固定させ、キャビティの頂部には蓋があることを特徴とする。
【０００５】
さらに、キャビティの外形は円柱体であり、第１キャビティと第２キャビティの結合面には１つの空隙がスクリューが設けられた位置に対応して存在してもよい。
【０００６】
さらに、ベースとキャビティとの直径が同じで、キャビティ底面とベースの中心にある柱体とが接続し、ベース接続部材が底面を貫通して接続した後の形状は両端が太く、中間が細くてもよい。
【０００７】
さらに、駆動歯車はベースの表面の中心位置の歯車であってもよく、ベースの表面の外輪に位置しており、歯車歯が内へ向いたリング状の歯車であってもよい。
【０００８】
さらに、スクリューと第２キャビティ底面とが接続して回転可能であり、スクリューおよび荷重台が接続面の上方に位置し、連動歯車が接続面の下方に位置してもよい。
【０００９】
さらに、荷重台が一定の厚さを有し、外形がヒョウタンの接続部位に類似し、両端が太く、中間が細く、中間が細い部位が空隙位置に係合して両端の面が揺れないように安定させることに用いられてもよい。
【００１０】
さらに、荷重台の荷重部分は平面であってもよい。
【００１１】
さらに、荷重台の荷重部分はバケット状構成であってもよい。
【００１２】
さらに、キャビティの蓋は中実部分と中空部分に分かれ、中実部分が第２キャビティおよび結合面をカバーし、中空部分にはリングがあり、第１キャビティをカバーし、蓋体全体の表面が平坦になるように保証してもよい。
【００１３】
さらに、キャビティの外形は直方体、多面体などであってもよく、キャビティの外部にはマーク、明細書などの内容を貼り付けることができてもよい。
【００１４】
さらに、キャビティの底部の内壁には一周にわたる突出物が設けられ、ベースには外輪があり、外輪に一周にわたる突出物が設けられ、内壁の突出物と外輪の突出物とが結合して固定し、かつ回転可能でってもよい。
【００１５】
さらに、蓋がキャビティをカバーし、蓋内の天井面がキャビティの出口表面より一定の距離だけ高くてもよい。
【００１６】
さらに、蓋の内輪のリング状の突出物とキャビティの出口部位のリング状の突出物とが結合し、係止してもよい。
【００１７】
さらに、蓋と回転軸とが連結する構成として設けられてもよく、かつオン・オフ機能を有してもよい。
【００１８】
さらに、キャビティが直方体である場合には、駆動歯車と連動歯車との間に１つの過渡歯車を増加することができる。
【００１９】
さらに、部材全体は主にプラスチック製品であってもよい。
【００２０】
さらに、キャビティなどは金属製品を採用することができる。
【００２１】
さらに、第１キャビティ内の荷重台の荷重部分は、例えば、ＰＶＡ、ＰＶＰのような固体ゲルまたは口紅などの内容物を収容することに用いられる。
【考案の効果】
【００２２】
本案は、中身の回転押出機能を有する容器の構造を改良することで、キャビティ内に収容した製品の中間に孔があるという問題を効果的に避けることができ、ベースでのつまみの回転により持ち上げる効果を実現することができる。
【００２３】
それは、塗布体などの内容物を収容することができ、そのほかの内容物を収容することもできる。外観全体が簡潔であり、統一されており、使用が便利であり、製造コストが比較的低く、優れた効果があるというメリットを有する。
【図面の簡単な説明】
【００２４】
【図１】本案の断面構成を模式的に示す図である。
【図２】本案の断面構成を模式的に示す図である。
【図３】本案のキャビティ構成を模式的に示す図である。
【図４】本案の内部部材の構成を模式的に示す図である。
【図５】本案の半断面構成を模式的に示す図である。
【図６】本案の歯車面結合の上面図である。
【考案を実施するための形態】
【００２５】
以下、図面および実施形態を参照しながら本案をさらに詳しく説明する。
【００２６】
図１〜６に示すように、中身の回転押出機能を有する容器において、キャビティ１は中空の長柱体の構成であり、内部が第１キャビティ１１と第２キャビティ１２に分かれ、第１キャビティ１１が第２キャビティ１２より大きく、両者の結合面１３には１つの空隙１４が連通し、頂部にはキャビティ蓋１５があり、第２キャビティ１２表面をカバーし、ベース２がキャビティ１底部に接続し、３６０度回転することができ、ベース２の表面には駆動歯車２１が設けられ、第２キャビティ１２の内部に回転可能なスクリュー３が接続し、スクリュー３の底部に連動歯車３１が設けられ、かつ駆動歯車２１と結合し、スクリュー３には荷重台３２があり、荷重台３２が第１キャビティ１１内に荷重部分３２１を有しており、第２キャビティ１２内に雌ねじ付きの小孔部材３２２を有しており、荷重台３２の中間部が空隙１３により位置を固定されており、キャビティ１の頂部には蓋４があることを特徴とする。
【００２７】
使用時に、蓋４を開け、ベース２を回転させることで、荷重台３２が上昇し、第１キャビティ１１内の内容物をキャビティ１から押し出すことができ、従って使用することができる。キャビティ１において、内容物と荷重台３２の荷重部分３２１とがうまく接触する関係を有することで、内容物の効果的な付着を保証する。内容物は普通の固体ゲルや口紅などの塗布体であってもよく、フラッシュディスク、キーなどのようなそのほかの物体であってもよい。接続盖が配置される場合には、スクリュー３と蓋４とが一体に接続し、スクリュー３が回転する時、蓋４もそれに従って回転し、蓋４を開けながら、スクリュー３も荷重台３２に対して上昇過程を行う。このように、蓋４を開けながら、荷重台３２内の内容物も同時にキャビティ１から押し出されて使用される。
【符号の説明】
【００２８】
１  キャビティ
１１ 第１キャビティ
１２ 第２キャビティ
１３ 結合面
１４ 空隙
１５ キャビティ蓋
２ ベース
２１ 駆動歯車
２２ 中心柱体
２３ ベース外輪
３ スクリュー
３１ 連動歯車
３２ 荷重台
３２１ 荷重部分
３２２ 雌ねじ付きの小孔部材
４ 蓋。
【図１】
0003200198.tif 000003
【図２】
0003200198.tif 000004
【図３】
0003200198.tif 000005
【図４】
0003200198.tif 000006
【図５】
0003200198.tif 000007
【図６】
0003200198.tif 000008